(57)【要約】      （修正有）【課題】複数のうちわを収納することができるうちわ収納具を提供する。【解決手段】うちわ収納具１は、開口部を有する本体と、本体の内部に設けられ、本体内に、うちわ５０を収納可能な複数の扁平な収納空間を形成する少なくとも１つの仕切り１４と、を備える。各収納空間にうちわ５０を１つずつ収納することができ、複数のうちわ５０を簡単に持ち運ぶことができる。また、持ち運び中にうちわ５０が互いにこすれて損傷するのを防止できる。【選択図】図５
0003214759.tif 000002
【実用新案登録請求の範囲】
【請求項１】
開口部を有する本体と、
前記本体の内部に設けられ、前記本体内に、うちわを収納可能な複数の扁平な収納空間を形成する少なくとも１つの仕切りと、を備えた、
ことを特徴とするうちわ収納具。
【請求項２】
前記仕切りは、複数設けられ、互いに略平行に、前記本体の厚み方向に並べられている、
請求項１に記載のうちわ収納具。
【請求項３】
前記本体は、略二等辺三角形の外形を有する、
請求項１または請求項２に記載のうちわ収納具。
【請求項４】
前記仕切りの開口側端部は、前記略二等辺三角形の対称軸よりも前記開口部側に位置する、
請求項３に記載のうちわ収納具。
【請求項５】
前記仕切りの開口側端部は、略二等辺三角形の底辺側に向かうにしたがって、前記対称軸から前記開口部側に離れるように配置される、
請求項４に記載のうちわ収納具。
【請求項６】
前記開口部にファスナが取り付けられている、
請求項１から請求項５のいずれか１項に記載のうちわ収納具。
【考案の詳細な説明】
【技術分野】
【０００１】
本考案は、うちわを収納するためのうちわ収納具に関する。
【背景技術】
【０００２】
従来、うちわを収納するケースとして、例えば特許文献１に記載されたものがある。この特許文献１に記載されたうちわ用ケースは、うちわを収容可能な略三角形の収納袋であり、収納袋の左右の半分側にファスナが設けられておりケースを開閉してうちわを収納することができる。またベルトを取り付けることにより、うちわをケースに収納した状態で持ち運びすることができる。
【先行技術文献】
【特許文献】
【０００３】
【特許文献１】特開２０１０−２５９７５３号公報
【考案の概要】
【考案が解決しようとする課題】
【０００４】
ところで、使用者は、例えばコンサート等のイベントでうちわを使用するために、会場へうちわを運ぶことがある。このとき、複数のうちわを持ち運ぶこともあるが、持ち運び中にうちわ同士がこすれて損傷してしまうのを防止する必要がある。
そこで、本考案の目的は、複数のうちわを収納可能にするうちわ収納具を提供することにある。
【課題を解決するための手段】
【０００５】
上記の目的を達成するために、本考案のうちわ収納具は、開口部を有する本体と、本体の内部に設けられ、本体内に、うちわを収納可能な複数の扁平な収納空間を形成する少なくとも１つの仕切りと、を備えた、ことを特徴としている。
【０００６】
このように構成された本考案においては、本体の内部に複数の扁平な収納空間が形成されるように少なくとも１つの仕切りが設けられるので、仕切りで区切られた収納空間毎にうちわを収納することが可能になり、複数のうちわを収納可能になる。また、収納空間毎にうちわを収納することが可能になるので、うちわ同士が損傷するのが防止される。
【０００７】
本考案において、好ましくは、仕切りは、複数設けられ、互いに略平行に、本体の厚み方向に並べられている。
このように構成された本考案においては、仕切りが複数設けられているので、複数のうちわを損傷させることなく収納することができる。
【０００８】
本考案において、好ましくは、本体は、略二等辺三角形の外形を有する。
このように構成された本考案においては、本体が略二等辺三角形の外形を有するので、うちわの扇の部分と柄の部分とが本体内部で外形に沿って収納されるから、本体内部でのうちわの動きが規制され、うちわの損傷が防止される。
【０００９】
本考案において、好ましくは、仕切りの開口側端部は、略二等辺三角形の対称軸よりも開口部側に位置する。
このように構成された本考案においては、仕切りの開口側端部が本体の略二等辺三角形の対称軸よりも開口部側に位置するので、うちわのより大きな部分を仕切りで支持することができるから、本体内でうちわをより確実に保持することが可能になる。
【００１０】
本考案において、好ましくは、仕切りの開口側端部は、略二等辺三角形の底辺側に向かうにしたがって、対称軸から開口部側に離れるように配置される。
このように構成された本考案においては、仕切りの開口側端部が本体の略二等辺三角形の底辺側に向かうに従って、対称軸から開口部側に離れるように配置されるので、本体の略二等辺三角形の底辺側に向かうに従って仕切りがより広い面積でうちわを支持することになる。したがって、本体内で仕切りによってうちわをより確実に保持することが可能になる。
【００１１】
本考案において、好ましくは、開口部にファスナが取り付けられている。
このように構成された本考案においては、本体の開口部にファスナが取り付けられているので、ファスナを開閉することによってうちわ収納具を開閉可能になり、より確実にうちわを本体内に保持可能になる。
【図面の簡単な説明】
【００１２】
【図１】本考案の一実施形態に係るうちわ収納具の正面図である。
【図２】本考案の一実施形態に係るうちわ収納具の側面図である。
【図３】図１のＩＩＩ−ＩＩＩ線に沿った断面図である。
【図４】図１の縦断面図である。
【図５】本考案の一実施形態に係るうちわ収納具においてうちわを収納した状態を示す断面図である。
【考案を実施するための形態】
【００１３】
以下、本考案の好ましい実施形態を添付図面を参照して説明する。
図１は、本考案の一実施形態に係るうちわ収納具１の正面図であり、図２は、うちわ収納具１の側面図である。これらの図１及び図２に示すように、うちわ収納具１は、本体２と、本体２に取り付けられた持ち手４と、を備える。本体２及び持ち手４はともに布製であるが、本考案では、うちわ収納具１の材料は布に限らず、例えば合成樹脂や皮革、人工皮革等、その他任意のものを採用することができる。
【００１４】
本体２は、前面カバー６と、後面カバー８と、前面カバー６及び後面カバー８の間に設けられたマチ部１０と、を備える。
前面カバー６及び後面カバー８は、涙型に形成されている。言い換えると、前面カバー６及び後面カバー８は、対称軸Ａに交わる底辺６Ａ，８Ａと、対称軸Ａに関してそれぞれ反対側に位置する側辺６Ｂ，８Ｂとを有する、隅丸の略三角形、より詳しくは略二等辺三角形の形状に形成されている。上方に位置する側辺６Ｂ，８Ｂには、持ち手４が取り付けられている。前面カバー６及び後面カバー８は、底辺６Ａ、８Ａ側にうちわの扇の部分が、側辺６Ｂ，８Ｂが交わる頂点Ｂ側には、うちわの柄の部分が収納可能なように形成されており、これにより、本体２は、所定の大きさのうちわを収納可能な寸法及び形状になっている。
【００１５】
マチ部１０は、前面カバー６と後面カバー８の周辺に結合されるとともに、持ち手４が設けられた側の一部に開口部１６を有する。これにより本体２は袋状に形成される。開口部１６の両端は、対称軸Ａよりも持ち手４側の位置に配置されている。マチ部１０の開口部１６には、ファスナ１２が取り付けられており、開口部１６が開閉可能となっている。
【００１６】
図３は、図１のＩＩＩ−ＩＩＩ線に沿った断面図であり、図４は、図１の縦断面図である。これらの図３及び図４に示すように、本体２の内部には、内部空間を仕切る複数（本実施形態では３枚）の仕切り１４が設けられている。
【００１７】
仕切り１４は、マチ部１０の厚み寸法（本体２の厚み寸法）を等分するように等間隔に互いに略平行に配置されており、その周辺がマチ部１０に接着、縫い付け等によって接続されている。
仕切り１４は、その開口側の端部、つまり上端が、本体２の対称軸Ａよりも上方（持ち手４側）に位置しており、前面カバー６及び後面カバー８の底辺６Ａ，８Ａ側に向かうにしたがって対称軸Ａから離れる位置に配置されている。また、仕切り１４の上端の両端は、本体２の開口部１６の両端よりも下側に位置している。
このような構造により、本体２の内部には、仕切り１４によって仕切られた扁平な収納空間１８が複数（本実施形態では４つ）形成される。
【００１８】
図５は、本考案の一実施形態に係るうちわ収納具１においてうちわを収納した状態を示す断面図である。うちわ収納具１にうちわ５０を収納する場合には、ファスナ１２を開け、開口部１６から本体２の内部にうちわ５０を挿入し、図５に示すように、うちわ５０を仕切り１４で仕切られた収納空間１８に収納する。仕切り１４は複数形成されているので、複数の収納空間１８のうちの各々にうちわ５０を１枚ずつ収納することができる。もちろん、１つの収納空間１８に複数のうちわ５０を収納してもよい。
【００１９】
このように構成された本実施形態によれば、次のような優れた効果を得ることができる。
本体２の内部に仕切り１４が設けられ、本体２の内部が複数の収納空間１８に区切られるから、うちわ５０をそれぞれの収納空間１８に収納することができ、複数のうちわ５０を本体２に収納することができる。また、各収納空間１８が仕切り１４によって仕切られているので、複数のうちわ５０を収納したときにも、持ち運び中にうちわ５０同士がこすれるなどの不具合を防止して、うちわ５０の損傷を防止することができる。
また、仕切り１４が複数設けられているので、より多くのうちわ５０を収納することができる。
【００２０】
本体２の前面カバー６及び後面カバー８が、略二等辺三角形の形状であるので、うちわ５０の扇の部分を底辺６Ａ，８Ａ側に、柄の部分を頂点Ｂ側に位置するように、うちわ５０を収納することができる。したがって、本体２内でうちわ５０を安定して支持することができ、本体２内でのうちわ５０の動きを規制することができる。よってうちわ５０の損傷を防止することができる。
【００２１】
仕切り１４の上端が、対称軸Ａよりも開口部１６側に位置しているので、仕切り１４の面積が本体２の前面カバー６及び後面カバー８の面積の半分よりも大きくなる。したがって、うちわ５０をより大きな面積で支持することができ、本体２内でより確実にうちわ５０を保持することができる。
【００２２】
仕切り１４の上端が、前面カバー６及び後面カバー８の底辺６Ａ，８Ａ側に向かうに従って対称軸Ａから開口部１６側に離れるように配置されるので、仕切り１４の面積は、本体２の頂点Ｂから底辺６Ａ，８Ａに向かうに従って大きくなる。よってうちわ５０の扇の部分をより大きな面積の仕切り１４で支持することができ、本体２内でより確実にうちわ５０を保持することができる。
【００２３】
開口部１６にファスナ１２が設けられているので、本体２を開閉することができる。例えばうちわ収納具１を持ち運ぶ際にはファスナ１２を閉めることで、うちわ５０が本体５から外に出るのを防止したり、雨が入るのを防いだりすることができる。
【００２４】
本考案は、以上の実施の形態に限定されることなく、例えば、以下のような態様であってもよい。
仕切りは、前述の実施形態では複数設けられていたが、例えば１つ設けられていてもよく、要するに仕切りは少なくとも１つ設けられていればよい。
本体の形状は、略二等辺三角形のものに限らず、例えば略矩形のものや、略楕円形のもの等、任意の形状を採用することができる。
【００２５】
仕切りの開口側端部は、本体の外形が略二等辺三角形の場合に、その対称軸よりも開口部側に位置していたが、これに限らず、仕切りの開口側端部は、対称軸よりも開口部から遠い側に位置していてもよい。また、本体の外形が略二等辺三角形でない場合には、仕切りの開口側端部は、本体の高さ方向略中央よりも開口部側に位置してもよいし、開口部から遠い側に位置していてもよい。
【００２６】
仕切りの開口側端部は、本体の外形が略二等辺三角形の場合に、略二等辺三角形の底辺側に向かうにしたがって対称軸から開口部側に離れるように配置されていたが、これに限らず、例えば対称軸と略平行であってもよいし、略二等辺三角形の底辺側に向かうにしたがって対称軸に近づくように配置されていてもよい。また、本体の外形が略二等辺三角形でない場合には、仕切りの開口側端部は、本体の高さ方向略中央に対して略平行に配置されてもよいし、一方の端部側に向かうにしたがって高さが小さくなるようにあるいは大きくなるように配置されてもよい。
開口部には、ファスナが必ずしも設けられていなくてもよい。
【符号の説明】
【００２７】
１  うちわ収納具
２  本体
４  持ち手
６  前面カバー
８  後面カバー
１０  マチ部
１２  ファスナ
１４  仕切り
【図１】
0003214759.tif 000003
【図２】
0003214759.tif 000004
【図３】
0003214759.tif 000005
【図４】
0003214759.tif 000006
【図５】
0003214759.tif 000007